(57)【要約】【課題】弾性筒状体が目地部に挟まれることを防止し、止水性を確保する。【解決手段】上下に重ねた筒体２，２の目地部５に跨って上下方向に伸縮可能な弾性筒状体21を設ける。弾性筒状体21の目地部５への侵入を防止する侵入防止部材11を、目地部５に跨って上下の筒体２，２の外周に配置する。また、侵入防止部材11の外周に弾性筒状体21を配置すると共に、弾性筒状体21の上，下取付部23Ａ，23Ｂを上下の筒体２，２に取り付け、侵入防止部材11の上方及び下方で上下の筒体２，２の外周と弾性筒状体21の内周との間に止水用の上，下弾性リング部材14Ａ，14Ｂを配置する。地震などにより目地部５が開くと、弾性筒状体21が上下方向に伸び、この状態でも弾性筒状体21には地下水圧が加わるが、侵入防止部材11により弾性筒状体21が開いた目地部５に挟まれることがなく、地震終了後は前の状態に戻ることができる。【選択図】図１
2016113882.tif 000002
【特許請求の範囲】
【請求項１】
上下に重ねた筒体の重ね合せ箇所の上下に跨って上下方向に伸縮可能な弾性筒状体を設けるマンホールの継手構造において、
前記弾性筒状体の前記重ね合せ箇所への侵入を防止する侵入防止部材を、前記重ね合せ箇所の上下に跨って前記上下の筒体の外周に配置し、
前記侵入防止部材の外周に前記弾性筒状体を配置すると共に、前記弾性筒状体の上，下取付部を前記上下の筒体に取り付けたことを特徴とするマンホールの継手構造。
【請求項２】
前記侵入防止部材の上方及び下方で前記上下の筒体の外周と前記弾性筒状体の内周との間に止水用の上，下弾性リング部材を配置したことを特徴とする請求項１記載のマンホールの継手構造。
【請求項３】
前記侵入防止部材は周方向に分割されていることを特徴とする請求項１又は２記載のマンホールの継手構造。
【請求項４】
前記上，下取付部に対応して前記上下の筒体の外周に取付部用溝部を形成したことを特徴とする請求項１〜３のいずれか１項に記載のマンホールの継手構造。
【請求項５】
前記上下の筒体の外周に、前記上，下弾性リング部材を配置するリング部材用溝部を形成したことを特徴とする請求項１〜４のいずれか１項に記載のマンホールの継手構造。
【請求項６】
前記侵入防止部材の上下方向中央側には、前記重ね合せ箇所に係合する係合部を設けたことを特徴とする請求項１〜５のいずれか１項に記載のマンホールの継手構造。
【請求項７】
請求項１〜６のいずれか１項に記載のマンホールの継手構造を備え、複数の前記筒体を上下方向に重ね合わせると共に、前記上下の筒体に前記継手構造を設けたことを特徴とするマンホール。
【請求項８】
前記筒体が周方向に分割された複数の分割筒体からなり、前記複数の分割筒体を周方向に接続したことを特徴とする請求項７記載のマンホール。
【請求項９】
上下に重ねた筒体の重ね合せ箇所の上下に跨って上下方向に伸縮可能な弾性筒状体を設けるマンホールの継手構造の施工方法において、
前記弾性筒状体の前記重ね合せ箇所への侵入を防止する侵入防止部材を、前記重ね合せ箇所の上下に跨って前記上下の筒体の外周に配置し、
前記侵入防止部材の外周に前記弾性筒状体を配置すると共に、前記弾性筒状体の上，下取付部を前記上下の筒体に取り付けることを特徴とするマンホールの継手構造の施工方法。
【請求項１０】
前記侵入防止部材の上方及び下方で前記上下の筒体の外周に止水用の上，下弾性リング部材を配置した後、前記侵入防止部材の外周に前記弾性筒状体を配置すると共に、前記弾性筒状体の上，下取付部を前記上下の筒体に取り付け、前記弾性筒状体の内周に止水用の前記上，下弾性リング部材を当接することを特徴とする請求項７記載のマンホールの継手構造の施工方法。
【発明の詳細な説明】
【技術分野】
【０００１】
本発明は、筒体を重ね合わせるマンホールの継手構造及びマンホールとその施工方法に関する。
【背景技術】
【０００２】
従来、この種の継手構造として、筒体の継手部分に伸縮性の可とう継手装置を設置し、筒体の変位を吸収するものが知られている（例えば特許文献１の図１２）。
【０００３】
そして、例えばマンホールを地震時に破壊しないようにするには、マンホールを上下方向に剛結合するより、筒体間の継手に遊びを持たせた柔構造とするのが好ましい。
【０００４】
一方、筒体間の継手は漏水の発生箇所となる可能性があり、なるべく継手箇所が少ない方がよい。しかし、継手を少なくすると筒体間の目開き量が大きくなり、継手に弾性のあるシール部材を使用して止水性と可とう性とを確保するには、対応可能な目開き量に限度がある。
【０００５】
また、目開き量はマンホールの外径が大きくなると同じ屈曲角度でも大きくなるため、大口径のマンホールになるほど、継手に高い可とう性が求められる。
【０００６】
図１４〜図１５は、特許文献１の図１２に対応した概略説明図である。同図に示すように、上下の筒体101，101の重ね合せ箇所に跨って伸縮性の可とう継手装置102が設けられており、地震などにより上下の筒体が相対的に傾くと、図１４に示すように重ね合せ箇所に目開きが発生し、可とう継手装置102に外側から地下水圧が加わることにより内側に屈曲し、地震が終了すると、図１５に示すように、可とう継手装置102の屈曲部分102Ａが重ね合せ箇所に挟まれ、これにより可とう継手装置102の止水性能の低下を招くという問題がある。
【先行技術文献】
【特許文献】
【０００７】
【特許文献１】特開２００７−５６４６２号公報
【発明の概要】
【発明が解決しようとする課題】
【０００８】
解決しようとする課題は、弾性筒状体が重ね合せ箇所に挟まれることを防止し、止水性を確保することができるマンホールの継手構造及びマンホールとその施工方法を提供することを目的とする。
【課題を解決するための手段】
【０００９】
請求項１の発明は、上下に重ねた筒体の重ね合せ箇所の上下に跨って上下方向に伸縮可能な弾性筒状体を設けるマンホールの継手構造において、前記弾性筒状体の前記重ね合せ箇所への侵入を防止する侵入防止部材を、前記重ね合せ箇所の上下に跨って前記上下の筒体の外周に配置し、前記侵入防止部材の外周に前記弾性筒状体を配置すると共に、前記弾性筒状体の上，下取付部を前記上下の筒体に取り付けたことを特徴とする。
【００１０】
請求項１の構成によれば、地震力などが作用した場合、筒体の重ね合せ箇所が開くことで地震時などの力を吸収し、筒体にひび割れ等が生じない。また、筒体の重ね合せ箇所が開くと、弾性筒状体が上下方向に伸び、この状態でも弾性筒状体には地下水圧が加わるが、侵入防止材により弾性筒状体が開いた重ね合せ箇所に挟まれることがなく、地震終了後は前の状態に戻ることができる。
【００１１】
また、請求項２の発明は、前記侵入防止部材の上方及び下方で前記上下の筒体の外周と前記弾性筒状体の内周との間に止水用の上，下弾性リング部材を配置したことを特徴とする。
【００１２】
また、請求項２の構成によれば、地下水圧が加わると、弾性筒状体は筒体及び上，下弾性リング部材に押し付けられ、上，下弾性リング部材は圧縮され止水効果を発揮する。
【００１３】
また、請求項３の発明は、前記侵入防止部材は周方向に分割されていることを特徴とする。
【００１４】
また、請求項３の構成によれば、分割されているため、筒体への配置を容易に行うことができる。
【００１５】
また、請求項４の発明は、前記上，下取付部に対応して前記上下の筒体の外周に取付部用溝部を形成したことを特徴とする。
【００１６】
また、請求項４の構成によれば、取付部用溝部を基準にして上，下取付部の取付を容易に行うことができる。また、取付部用溝部に上，下取付部が嵌ることにより安定した取付状態が得られる。さらに、筒体の外周より凹んだ取付部用溝部に、上，下取付部を嵌めることにより、筒体の外周に上，下取付部を装着する場合に比べて、上，下取付部における周方向の伸びによるストレスを抑制することができる。
【００１７】
また、請求項５の発明は、前記上下の筒体の外周に、前記上，下弾性リング部材を配置するリング部材用溝部を形成したことを特徴とする。
【００１８】
また、請求項５の構成によれば、上，下弾性リング部材の位置決めを容易に行うことができる。
【００１９】
また、請求項６の発明は、前記侵入防止部材の上下方向中央側には、前記重ね合せ箇所に係合する係合部を設けたことを特徴とする。
【００２０】
また、請求項６の構成によれば、係合部を重ね合せ箇所に係合することにより、侵入防止部材の上下方向の位置決めを行うことができる。
【００２１】
また、請求項７の発明は、複数の前記筒体を上下方向に重ね合わせると共に、前記上下の筒体に前記継手構造を設けたことを特徴とする。
【００２２】
請求項７の構成によれば、複数の筒体を上下に重ね合わせてマンホールを構築し、このマンホールは、地震時などにより筒体の重ね合せ箇所に目開きが発生しても、弾性筒状体が重ね合せ箇所に挟まれることを防止でき、弾性筒状体による止水性を確保することができる。
【００２３】
また、請求項８の発明は、前記筒体が周方向に分割された複数の分割筒体からなり、前記複数の分割筒体を周方向に接続したことを特徴とする。
【００２４】
請求項８の構成によれば、止水性に優れた大径のマンホールが得られる。
【００２５】
また、請求項９の発明は、上下に重ねた筒体の重ね合せ箇所の上下に跨って上下方向に伸縮可能な弾性筒状体を設けるマンホールの継手構造の施工方法において、前記弾性筒状体の前記重ね合せ箇所への侵入を防止する侵入防止部材を、前記重ね合せ箇所の上下に跨って前記上下の筒体の外周に配置し、前記侵入防止部材の外周に前記弾性筒状体を配置すると共に、前記弾性筒状体の上，下取付部を前記上下の筒体に取り付けることを特徴とする。
【００２６】
請求項９の構成によれば、請求項１に記載のマンホールの継手構造が得られる。
【００２７】
また、請求項１０の発明は、前記侵入防止部材の上方及び下方で前記上下の筒体の外周に止水用の上，下弾性リング部材を配置した後、前記侵入防止部材の外周に前記弾性筒状体を配置すると共に、前記弾性筒状体の上，下取付部を前記上下の筒体に取り付け、前記弾性筒状体の内周に止水用の前記上，下弾性リング部材を当接することを特徴とする。
【００２８】
また、請求項１０の構成によれば、請求項２に記載のマンホールの継手構造が得られる。
【発明の効果】
【００２９】
上記構成によれば、地震時などにより筒体の重ね合せ箇所に目開きが発生しても、弾性筒状体が重ね合せ箇所に挟まれることを防止でき、弾性筒状体による止水性を確保することができる。
【図面の簡単な説明】
【００３０】
【図１】本発明の実施例１を示す継手構造の断面図である。
【図２】同上、要部の拡大断面図である。
【図３】同上、侵入防止部材の斜視図である。
【図４】同上、弾性筒状体を図示省略した断面図である。
【図５】同上、係合部周りの拡大断面図である。
【図６】同上、取付部の断面図である。
【図７】同上、マンホールの要部の斜視図である。
【図８】同上、筒体の平面図である。
【図９】同上、重ね合せ箇所が開いた状態の断面図である。
【図１０】同上、取付部用溝部のない止水構造の断面図である。
【図１１】本発明の実施例２を示す止水構造の断面図である。
【図１２】本発明の実施例３を示す止水構造の断面図である。
【図１３】本発明の実施例４を示すマンホールの要部の斜視図である。
【図１４】従来例を示す重ね合せ部分が開いた状態の断面図である。
【図１５】同上、重ね合せ部分が開いた後に閉まった状態の断面図である。
【発明を実施するための形態】
【００３１】
本発明における好適な実施の形態について、添付図面を参照して説明する。尚、以下に説明する実施例は、特許請求の範囲に記載された本発明の内容を限定するものではない。また、以下に説明される構成の全てが、本発明の必須要件であるとは限らない。
【実施例１】
【００３２】
図１〜図９は実施例１を示しており、マンホール１は、円筒形の筒体２，２・・・を組み立てる組立式マンホールであり、前記筒体２はプレキャストコンクリートなどからなる。尚、前記筒体２の直径（内径）は２０００〜３５００ｍｍ程度である。また、マンホール１は地中に埋設され、土圧を受ける。尚、この例では、筒体２は周方向に一体のものを用いている。
【００３３】
上下の筒体２，２が重ね合わされ、上下の筒体２，２の下端面３と上端面４との間に５ｍｍ程度の目地部５を設け、この目地部５には充填材６などが充填される。尚、前記目地部５が重ね合せ箇所である。また、この例では、下端面３と上端面４は平坦面に形成されている。
【００３４】
継手構造として以下の構成を備える。前記上下の筒体２，２の外周には前記目地部５の上下を跨ぐように、侵入防止部材11が設けられている。この侵入防止部材11は、鉄板やステンレス鋼板などからなり、高さが一定なリング体を分割した複数の円弧状分割体12，12・・・からなり、図３では円周方向等間隔で５分割したものを例示している。尚、前記リング体の分割数は分割体12を人力で取り扱える重量を基準にして決めるので、筒体２が大きくなれば増加する。
【００３５】
前記侵入防止部材11は、厚さが０．５〜２ｍｍ程度で、前記高さＨが７０〜１５０ｍｍ程度である。前記高さＨは、予想される地震などにより目地部５が開く量の２倍以上とし、これにより地震時などでも目地部５を覆うことができる。また、直径（内径）が２０００〜３５００ｍｍ程度で、地震などにより目地部５が開く量は略３０ｍｍと予想されるから、上記の寸法とした。前記侵入防止部材11は上下の筒体２のずれによるせん断等に対抗する構造材ではなく、後述する弾性筒状体21の目地部５への侵入を防止するものであるから、上記の厚さとした。
【００３６】
前記円弧状分割体12はゴム系接着剤により前記上下の筒体２，２の目地部５に跨って貼り付けられる。この場合、周方向に隣り合う円弧状分割体12，12・・・の周方向端縁12Ｆ，12Ｆ同士を合わせるように貼り付けることが好ましいが、必ずしも端縁12Ｆ，12Ｆ同士を密着させる必要はなく、端縁12Ｆ，12Ｆ間に多少の隙間があっても弾性筒状体21が目地部５に侵入しなければよい。
【００３７】
また、円弧状分割体12を筒体２の外周に貼り付ける際は、円弧状分割体12の高さ方向中央が目地部５に位置するようにする。この場合、全ての前記円弧状分割体12，12・・・の内周には、図５に示すように、その高さ方向中央に係合部13を設け、この係合部13が前記目地部５に係入する。前記係合部13はＴ形リブや突起などからなり、前記円弧状分割体12の内周に溶着して設けられる。また、図４に示したように、下端面３と上端面４の外周側の面取り部３Ｍ，４Ｍの間に前記係合部13を挿入するようにしてもよい。尚、１つの円弧状分割体12の内周に、周方向に間隔を置いて複数の係合部13を設けてもよい。このように目地部５に係合部13を係合することにより、貼り付け時の作業が容易となり、また、目地部５に対する円弧状分割体12の高さ位置の偏りを防止することができる。
【００３８】
また、前記上下の筒体２，２の外周には、止水のために上，下弾性リング部材14Ａ，14Ｂが配置され、これら上，下弾性リング部材14Ａ，14Ｂは環状の丸ゴムなどからなる。このため、上下の筒体２，２の外周には、上，下リング部材用溝部15Ａ，15Ｂが周設されている。この例では、断面円形の弾性リング部材14Ａ，14Ｂに対応して、略半円形のリング部材用溝部15Ａ，15Ｂが形成されている。これらリング部材用溝部15Ａ，15Ｂの深さは弾性リング部材14Ａ，14Ｂの直径の１／２〜１／３程度が好ましい。また、リング部材用溝部15Ａ，15Ｂに嵌めることにより接着を不要とすることができる。
【００３９】
また、図２に示すように、上側のリング部材用溝部15Ａは、前記侵入防止部材11の上端より上方に設けられ、下側のリング部材用溝部15Ｂは、前記侵入防止部材11の下端より下方に設けられ、上端と上側のリング部材用溝部15Ａのリング部材14Ａとの間隔Ｈ１と、下端と下側のリング部材用溝部15Ｂのリング部材14Ｂとの間隔Ｈ１とは、１０ｍｍ以上が望ましく、前記間隔Ｈ１を１５〜２０ｍｍ程度としている。即ち、弾性リング部材14Ａ，14Ｂの位置は、弾性リング部材14Ａ，14Ｂの外側に侵入防止部材11が乗り上げるか、または弾性リング部材14Ａ，14Ｂが侵入防止部材11の外周に乗り上げると止水性がなくなるので、侵入防止部材11から離れた位置にしており、上述したように間隔Ｈ１を１０ｍｍ以上とした。尚、施工性は劣るが、溝部15Ａ，15Ｂを設けないようにすることもでき、この場合は筒体２の外周に接着することが好ましい。
【００４０】
また、前記弾性リング部材14Ａ，14Ｂは、硬い方が丸ゴムの効果が発揮できるので、ＪＩＳ  Ｋ  ６２５３に準拠したタイプＡデュロメータを用いた硬度（ＪＩＳ  Ａ硬さ）で、５０〜７０度、６０度程度が好ましい。
【００４１】
ゴムなどの弾性体からなる前記弾性筒状体21は、円筒形の筒本体22と、この筒本体22の上下に一体に設けられた上，下取付部23Ａ，23Ｂとを一体に備え、上，下取付部23Ａ，23Ｂは前記筒本体22より肉厚に形成されている。前記弾性筒状体21の高さＨ２は、侵入防止部材11の高さと上，下取付部23Ａ，23Ｂの高さから決まるが、侵入防止部材11の高さに２００ｍｍ程度加えた高さが好ましい。尚、前記弾性筒状体21は上下対称である。尚、弾性筒状体21は、筒本体22と上，下取付部23Ａ，23Ｂとを同じ肉厚にすることもできる。
【００４２】
また、前記筒本体22の内周長は、前記筒体２の外周長と同じか若干短めに形成されている。即ち、筒体２が円筒形状の場合、筒本体22の内径は筒体２の外径と同一か若干小さく形成されている。したがって、実際の装着状態では図２に示すように、筒本体22は筒体２の外周及び侵入防止部材11の外周に接する。また、図６などに示すように、上，下取付部23Ａ，23Ｂは、前記筒本体22に比べて厚く、且つ前記筒本体22の内径と、凹凸部26を除いた上，下取付部23Ａ，23Ｂの内径Ｄが略同一に形成されている。即ち、筒本体22の内面の周長と、凹凸部26を除いた上，下取付部23Ａ，23Ｂの内面の周長が略同一に形成されている。
【００４３】
前記上，下取付部23Ａ，23Ｂの外周には、上下にバンド用の凹部24，24を形成し、これら凹部24，24にそれぞれ締付手段たる締付バンド25，25を装着する。図１では、締付バンド25は上，下取付部23Ａ，23Ｂに２本ずつ装着しているが、１本でもよく、３本以上でもよい。また、上，下取付部23Ａ，23Ｂの内周には、断面が略三角形の凹部と凸部が上下に並んだ凹凸部26が形成されている。さらに、前記上下の筒体２，２の外周には、前記上，下取付部23Ａ，23Ｂに対応して、取付部用溝部27，27が周設されており、この取付部用溝部27の底部は筒体２の外周より小径に形成されている。
【００４４】
そして、上下の取付部用溝部27，27に前記上，下取付部23Ａ，23Ｂを配置し、締付バンド25，25により前記上，下取付部23Ａ，23Ｂを締め付けて筒体２に取付固定する。尚、弾性筒状体21の前記硬度は、４０〜５０程度であり、前記弾性リング部材14Ａ，14Ｂに比べて柔らかい。このように上，下取付部23Ａ，23Ｂが比較的柔らかいため、締付バンド25，25による締付により、凹凸部26が凹んで溝部27の底部との接触面積が大きくなり止水性が向上する。また、取付部用溝部27を設けることにより、溝部27からの上，下取付部23Ａ，23Ｂの抜け出し防止、位置決めの目安、さらに、溝部27を接着剤又は滑材のスペースとして使用することができる。
【００４５】
また、取付部用溝部27を設けることにより上，下取付部23Ａ，23Ｂの取付周長が短くなることにより、取付状態において上，下取付部23Ａ，23Ｂの伸びを緩和することができる。即ち、上述したように弾性筒状体21の内周長は、筒体２の外周長と同一か若干短く形成されているから、筒体２の外周には弾性筒状体21を周方向に伸ばしながら装着する必要があるが、溝部27により上，下取付部23Ａ，23Ｂの伸びが軽減され、加わるストレスが減る。そして、取付部23Ａ，23Ｂと筒本体22の内径は略同一であり、目地部５が開いたときに、筒体２に比べて周長の短い取付部用溝部27の取付部23Ａ，23Ｂに加わる引っ張り力は、他の筒本体22より小さくなり、締め付け力の効果が上がる。
【００４６】
ところで、弾性筒状体21が図１４〜図１５のようにならないようにするためには、筒本体の厚さを厚くすることや、ゴムに繊維を入れて剛性を高めることが考えられるが、いずれも弾性筒状体が重くなって施工が大変になり、また、ゴムに繊維を入れるとゴムの伸びが無くなるので、可とう性も損なわれる。本実施例では、これらの問題を解消することができる。
【００４７】
次に、前記継手構造の施工方法について説明する。上，下リング部材用溝部15Ａ，15Ｂに上，下弾性リング部材14Ａ，14Ｂを装着する。また、上，下の筒体２，２のいずれか一方に弾性筒状体21を外装する。この場合、上リング部材用溝部15Ａの上方又は下リング部材用溝部15Ｂの下方に弾性筒状体21を外装しておく。
【００４８】
この後、上下の筒体２，２を重ね合せ、その目地部５に係合部13を挿入して複数の円弧状分割体12により目地部５を囲み、円弧状分割体12を上，下の筒体２，２の少なくとも一方の外周に接着剤により接着する。尚、この例では、下の筒体２の外周に円弧状分割体12を接着する。このようにして侵入防止部材11を目地部５の上下に跨って取り付けた後、上，下の筒体２，２のいずれか一方に外装していた弾性筒状体21を移動し、上，下の取付部用溝部27，27に上，下取付部23Ａ，23Ｂを嵌める。この場合、外装していた弾性筒状体21を周方向に伸ばした状態で移動する。
【００４９】
上，下取付部23Ａ，23Ｂの凹部24，24に締付バンド25，25を外装し、これら締付バンド25，25により上，下取付部23Ａ，23Ｂを締め付けて凹部24，24に固定する。
【００５０】
尚、図１０に示すように、筒体２の外周に取付部用溝部27を設けずに、筒体２の外周に上，下取付部23Ａ，23Ｂを取付固定してもよい。
【００５１】
次に、前記構成につきその作用を説明する。マンホール１に地震力などが作用した場合、マンホール１が傾き、目地部５が開くことで地震時の力を吸収し、筒体２にひび割れが生じない。そして、図９に示すように、下の筒体２に対して上の筒体２が傾くと、傾いた反対側の目地部５が広がる。上の筒体２が傾くと、侵入防止部材11は上下の筒体２，２に接着されているが、接着剤はゴム糊であり、筒体２の動きを止めるほどの力はないので、目地部５が開き、主として筒本体22が伸びる。この時も外部から地下水圧がマンホール１に作用し続けており、筒本体22は水圧でマンホール１の内側に押されるが、薄板鋼板などからなる侵入防止部材11が開いた目地部５を覆っているため、目地部５に筒本体22が嵌ることがない。このように筒本体22は上下方向のみに伸び、地震終了後は、地震前に戻ることができる。
【００５２】
このように本実施例では、請求項１に対応して、上下に重ねた筒体２，２の重ね合せ箇所たる目地部５の上下に跨って上下方向に伸縮可能な弾性筒状体21を設けるマンホール１の継手構造において、弾性筒状体21の目地部５への侵入を防止する侵入防止部材11を、前記目地部５の上下に跨って上下の筒体２，２の外周に配置し、侵入防止部材11の外周に弾性筒状体21を配置すると共に、弾性筒状体21の上，下取付部23Ａ，23Ｂを上下の筒体２，２に直接取り付けたから、地震力などが作用した場合、筒体２，２の目地部５が開くことで地震時などの力を吸収し、筒体２にひび割れ等が生じない。また、筒体２，２の目地部５が開くと、弾性筒状体21が上下方向に伸び、この状態でも弾性筒状体21には地下水圧が加わるが、侵入防止部材11により弾性筒状体21が開いた目地部５に挟まれることがなく、地震終了後は前の状態に戻ることができる。
【００５３】
また、このように本実施例では、請求項２に対応して、侵入防止部材11の上方及び下方で上下の筒体２，２の外周と弾性筒状体21の内周との間に止水用の上，下弾性リング部材14Ａ，14Ｂを配置したから、地下水圧が加わると、弾性筒状体21は筒体２及び上，下弾性リング部材14Ａ，14Ｂに押し付けられ、上，下弾性リング部材14Ａ，14Ｂは圧縮され止水効果を発揮する。
【００５４】
また、このように本実施例では、請求項３に対応して、侵入防止部材11は周方向に分割されているから、筒体２への配置を容易に行うことができる。
【００５５】
また、このように本実施例では、請求項４に対応して、上，下取付部23Ａ，23Ｂに対応して上下の筒体２，２の外周に取付部用溝部27，27を形成したから、取付部用溝部27，27を基準にして上，下取付部23Ａ，23Ｂの取付を容易に行うことができる。また、取付部用溝部27，27に上，下取付部23Ａ，23Ｂが嵌ることにより安定した取付状態が得られる。さらに、筒体２の外周より凹んだ取付部用溝部27に、上，下取付部23Ａ，23Ｂを嵌めることにより、筒体２の外周に上，下取付部23Ａ，23Ｂを装着する場合に比べて、上，下取付部23Ａ，23Ｂにおける周方向の伸びによるストレスを抑制することができる。
【００５６】
また、このように本実施例では、請求項５に対応して、上下の筒体２，２の外周に、上，下弾性リング部材14Ａ，14Ｂを配置するリング部材用溝部15Ａ，15Ｂを形成したから、上，下弾性リング部材14Ａ，14Ｂの位置決めを容易に行うことができる。
【００５７】
また、このように本実施例では、請求項６に対応して、侵入防止部材11の上下方向中央側には、重ね合せ箇所たる目地部５に係合する係合部13を設けたから、係合部13を目地部５に係合することにより、侵入防止部材11の上下方向の位置決めを行うことができる。
【００５８】
また、このように本実施例では、請求項７に対応して、複数の筒体２，２・・・を上下方向に重ね合わせると共に、上下の筒体２，２・・・に前記継手構造を設けたから、地震時などにより筒体２，２の重ね合せ箇所に目開きが発生しても、弾性筒状体21が重ね合せ箇所に挟まれることを防止でき、弾性筒状体21による止水性を確保することができる。
【００５９】
また、このように本実施例では、請求項９に対応して、上下に重ねた筒体２，２の重ね合せ箇所たる目地部５の上下に跨って上下方向に伸縮可能な弾性筒状体21を設けるマンホール１の継手構造の施工方法において、弾性筒状体21の目地部５への侵入を防止する侵入防止部材11を、目地部５の上下に跨って上下の筒体２，２の外周に配置し、侵入防止部材11の外周に弾性筒状体21を配置するから、請求項１に記載のマンホール１の継手構造が得られる。
【００６０】
また、このように本実施例では、請求項１０に対応して、弾性筒状体21の目地部５への侵入を防止する侵入防止部材11を、目地部５の上下に跨って上下の筒体２，２の外周に配置し、侵入防止部材11の上方及び下方で上下の筒体２，２の外周に止水用の上，下弾性リング部材14Ａ，14Ｂを配置した後、侵入防止部材11の外周に弾性筒状体21を配置すると共に、弾性筒状体21の上，下取付部23Ａ，23Ｂを上下の筒体２，２に取り付け、弾性筒状体21の内周に止水用の上，下弾性リング部材14Ａ，14Ｂを当接するから、請求項２に記載のマンホール１の継手構造が得られる。
【００６１】
また、実施例上の効果として、１つの円弧状分割体12の内周に、周方向に間隔を置いて複数の係合部13を設ければ、円弧状分割体12を安定して位置決めすることができる。
【実施例２】
【００６２】
図１１は本発明の実施例２を示し、上記実施例１と同一部分に同一符号を付し、その説明を省略して詳述すると、この例では、上下の筒体２，２を凹凸嵌合する例であり、上の筒体２の下端面３に嵌合凸部31を形成し、この嵌合凸部31が嵌合する嵌合凹部32を下の筒体２の上端面４に形成している。また、嵌合凸部31の下端と嵌合凹部32の底部との間には、止水用のシール材33を設けている。
【００６３】
このように本実施例でも上記実施例と同様な作用・効果を奏する。また、この例では、凹凸嵌合により上下の筒体２，２の位置合わせが容易となる。
【実施例３】
【００６４】
図１２は本発明の実施例３を示し、上記各実施例と同一部分に同一符号を付し、その説明を省略して詳述すると、この例では、上の筒体２の下端面３の内側に段差状の段差凸部36を設け、この段差凸部36に対応して、下の筒体２の上端面４の内側に段差状の段差凹部37を形成している。また、段差凸部36の下端と段差凹部37の底部との間には、止水用のシール材33を設けている。
【００６５】
このように本実施例でも上記実施例と同様な作用・効果を奏する。また、この例では、インロー嵌合より上下の筒体２，２の位置合わせが容易となる。
【実施例４】
【００６６】
図１３は本発明の実施例４を示し、上記各実施例と同一部分に同一符号を付し、その説明を省略して詳述すると、この例では、筒体２を周方向に二分割した分割筒体51，51を用い、これら分割筒体51，51の周方向端面52，52を接続して筒体２を構成している。
【００６７】
前記周方向端面52，52同士の接続構造としては、接着剤，機械接続，接着剤と機械接続を組み合わせたものが例示される。前記機械接続構造53にはボルト接続やコッター継手金具などが用いられる。尚、周方向端面52，52を剛接続する場合は、筒体２のコンクリート強度よりも強い又は同等の接続強度を持つ手段で剛接続すればよい。
【００６８】
また、周方向端面52，52の位置は上下の筒体２，２において平面位置をずらしており、この例では１８０度ずらした位置に配置している。したがって、上下の筒体２，２の周方向端面52，52が上下方向に連続することがない。そして、周方向端面52，52の位置は縦目地箇所となるが、構造的に弱点になりうる縦目地箇所を上下で連続させないことで構造物の強度の安定化を図ることができる。
【００６９】
このように本実施例でも上記各実施例と同様な作用・効果を奏する。
【００７０】
また、この例では、請求項８に対応して、筒体２が周方向に分割された複数の分割筒体51，51からなり、複数の分割筒体51，51を周方向に接続したから、止水性に優れた大径のマンホール１が得られる。
【００７１】
尚、本発明は以上の実施例に限定されるものではなく、発明の要旨の範囲内で種々の変形実施が可能である。例えば、実施例では、筒体が平面円形のマンホールを例に説明したが、筒体は平面角形でもよい。また、実施例では、侵入防止部材をステンレス製としたが、防錆処理を施した鋼製や合成樹脂製でもよい。さらに、実施例では、取付部を２本の締付バンドで取り付けたが、締付バンドは１本でもよいし、３本以上でもよい。また、実施例では、筒体を二分割した例を示したが、三分割以上としてもよい。
【符号の説明】
【００７２】
１  マンホール
２  筒体
３  下端面
５  目地部（重ね合せ箇所）
11  侵入防止部材
12  円弧状分割体
13  係合部
14Ａ  上弾性リング部材
14Ｂ  下弾性リング部材
15Ａ  リング部材用溝部
15Ｂ  リング部材用溝部
21  弾性筒状体
22  筒本体
23Ａ  上取付部
23Ｂ  下取付部
24  凹部
25  締付バンド（締付手段）
27  取付部用溝部
51  分割筒体
【図１】
2016113882.tif 000003
【図２】
2016113882.tif 000004
【図３】
2016113882.tif 000005
【図４】
2016113882.tif 000006
【図５】
2016113882.tif 000007
【図６】
2016113882.tif 000008
【図７】
2016113882.tif 000009
【図８】
2016113882.tif 000010
【図９】
2016113882.tif 000011
【図１０】
2016113882.tif 000012
【図１１】
2016113882.tif 000013
【図１２】
2016113882.tif 000014
【図１３】
2016113882.tif 000015
【図１４】
2016113882.tif 000016
【図１５】
2016113882.tif 000017